Podtech/llm-jp-corpus-v4-ja_patent huggingface dataset:
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
自然の肉の色を保存しつつ前記肉上および前記肉中の病原体および有害なバクテリアの存在を低減するために肉を平衡圧力処理する方法であって、
前記肉にヘモグロビンを加えることと、
可撓性の容器に前記肉を液密に封止することと、
１０，０００〜１００，０００ｐｓｉの圧力、制御された温度で、および前記肉に存在する微生物の細胞壁を破裂させるのに十分な期間にわたって、前記可撓性の容器に前記肉を封止しながら前記肉への圧力の印加によって前記肉を平衡圧力処理することと、を含む、方法。
【請求項２】
前記肉は、牛肉である、請求項１に記載の方法。
【請求項３】
前記肉は、豚肉である、請求項１に記載の方法。
【請求項４】
前記肉は、バイソンである、請求項１に記載の方法。
【請求項５】
前記肉は、子羊の肉である、請求項１に記載の方法。
【請求項６】
前記肉は、子牛の肉である、請求項１に記載の方法。
【請求項７】
前記肉は、家禽である、請求項１に記載の方法。
【請求項８】
前記肉は、シーフードである、請求項１に記載の方法。
【請求項９】
前記ヘモグロビンは、他の活性化原料を有するまたは有しない安定化粉末である、請求項１に記載の方法。
【請求項１０】
前記圧力処理ステップに先立って、封止された可撓性のポリマー容器に前記肉を配置することをさらに含む、請求項１に記載の方法。
【請求項１１】
前記ヘモグロビンは、筋肉の外部表面に加えられる、請求項１に記載の方法。
【請求項１２】
前記ヘモグロビンは、挽肉と混合することによって加えられる、請求項１に記載の方法。
【請求項１３】
前記ヘモグロビンは、それが加えられる前記肉の約０．０８〜約３．０重量％である，請求項１に記載の方法。
【請求項１４】
前記ヘモグロビンは、乾燥形態である、請求項１に記載の方法。
【請求項１５】
前記ヘモグロビンは、液体形態である、請求項１に記載の方法。
【請求項１６】
液体の前記ヘモグロビンは、乾燥され、その後再水和される、請求項１５に記載の方法。
【請求項１７】
前記ヘモグロビンは、赤血球を含み得るまたは含み得ない、請求項１に記載の方法。
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
画像の復号化方法において、
複数の参照画素ラインの中から少なくとも一つの参照画素ラインを選択する段階と、ここで、前記複数の参照画素ラインは、イントラ予測を用いて復号化される現在ブロックと同一の画像内に含まれ、
前記現在ブロックのイントラ予測モードを導出する段階と、
前記選択された参照画素ラインと、前記導出されたイントラ予測モードに基づいて前記現在ブロックの予測ブロックを生成する段階とを含む、画像の復号化方法。
【請求項２】
前記画像の復号化方法は、
ビットストリームから参照画素ラインインデックス情報を得る段階をさらに含み、
前記参照画素ラインインデックス情報に基づいて、前記選択された参照画素ラインが決定されることを特徴とする、請求項１に記載の画像の復号化方法。
【請求項３】
前記複数の参照画素ラインは、所定の位置における参照画素ラインであることを特徴とする、請求項１に記載の画像の復号化方法。
【請求項４】
前記複数の参照画素ラインの数は、３であることを特徴とする、請求項１に記載の画像の復号化方法。
【請求項５】
前記複数の参照画素ラインの各々の参照画素ラインインデックスは、各々の参照画素ラインと前記現在ブロックとの距離が増加するに従って、より大きな値が割り当てられることを特徴とする、請求項１に記載の画像の復号化方法。
【請求項６】
前記現在ブロックの前記予測ブロックに対してフィルタリングを行う段階をさらに備えることを特徴とする、請求項１に記載の画像の復号化方法。
【請求項７】
前記現在ブロックの前記イントラ予測モードが所定の角度モードである場合、前記予測ブロック内の第１の画素が、前記第１の画素の予測に用いられる第１の参照画素と、前記第１の参照画素を含む前記参照画素ラインと同一の参照画素ラインに含まれる第２の参照画素ラインに基づいてフィルタリングされることを特徴とする、請求項６に記載の画像の復号化方法。
【請求項８】
前記第２の参照画素は、前記所定の角度モードの予測方向と反対の方向に位置する参照画素であることを特徴とする、請求項７に記載の画像の復号化方法。
【請求項９】
前記所定の角度モードは、４５度の上右（ｕｐ−ｒｉｇｈｔ）予測方向を有することを特徴とする請求項７に記載の画像の復号化方法。
【請求項１０】
前記第１の画素は、前記第１の画素と前記第１の参照画素との間の距離に従う第１の重み付け値と、第１の画素と前記第２の参照画素との間の距離に従う第２の重み付け値とに基づいてフィルタリングされることを特徴とする請求項７に記載の画像の復号化方法。
【請求項１１】
前記第１の画素と前記第１の参照画素との間の距離が、前記第１の画素と前記第２の参照画素との距離よりも短い場合、前記第１の重み付け値は前記第２の重み付け値よりも大きいことを特徴とする請求項１０に記載の画像の復号化方法。
【請求項１２】
第１の参照画素と前記第２の参照画素とを含む前記参照画素ラインは、前記予測ブロックに隣接する参照画素ラインであることを特徴とする請求項１０に記載の画像の復号化方法。
【請求項１３】
フィルタリングされる画素は、前記予測ブロックのサイズ又は形状に従って決定されることを特徴とする請求項６に記載の画像の復号化方法。
【請求項１４】
前記イントラ予測モードを導出する前記段階は、
前記現在ブロックの前記イントラ予測モードを初期化（ｒｅｓｅｔ）するか否かを決定する段階と、
前記決定に基づいて、前記現在ブロックの前記イントラ予測モードを初期化（ｒｅｓｅｔ）する段階と、
を備えることを特徴とする請求項１に記載の画像の復号化方法。
【請求項１５】
前記イントラ予測モードを初期化（ｒｅｓｅｔ）する段階は、第１の予測方向を有する第１の方向性イントラ予測モードを、第２の予測方向を有する第２の方向性イントラ予測モードに初期化（ｒｅｓｅｔ）することによって行われることを特徴とする請求項１４に記載の画像の復号化方法。
【請求項１６】
前記第１の予測方向は、上方（ｕｐ）予測方向であり、前記第２の予測方向は、下左（ｄｏｗｎ−ｌｅｆｔ）予測方向であることを特徴とする請求項１５に記載の画像の復号化方法。
【請求項１７】
画像の符号化方法において、
複数の参照画素ラインの中から少なくとも一つの参照画素ラインを選択する段階と、ここで、前記複数の参照画素ラインは、イントラ予測を用いて符号化される現在ブロックと同一の画像内に含まれ、
前記現在ブロックのイントラ予測モードを決定する段階と、
前記現在ブロックの前記イントラ予測モードに関連する情報と、前記複数の参照画素ラインの中の前記少なくとも一つの参照画素ラインを示す参照画素ラインインデックス情報とを符号化する段階と、
を含む、画像の符号化方法。
【請求項１８】
画像復号化装置によって受信されて復号化され、画像を復元するために用いられるビットストリームを格納するコンピュータが読み取り可能な記録媒体であって、前記ビットストリームは、現在ブロックのイントラ予測モードに関連する情報と、参照画素ラインインデックス情報とを備え、
前記参照画素ラインインデックス情報は、復号化プロセスにおける複数の参照画素ラインの中で、少なくとも一つの参照画素ラインを選択するために用いられ、
前記複数の参照画素ラインは、イントラ予測によって符号化される現在ブロックと同じ画像内に含まれており、
前記イントラ予測モードに関連する情報は、前記現在ブロックの前記イントラ予測モードの導出に用いられ、
前記選択された参照画素ラインと、前記導出されたイントラ予測モードは、前記復号化プロセスにおいて前記現在ブロックの予測ブロックを生成するために用いられることを特徴とするコンピュータが読み取り可能な記録媒体。
【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
流体流中の少なくとも１種の混入物の濃度をモニターする方法であって、
・少なくとも２つの単位操作を設ける工程と、
・流体流を供給し、流路において前記流体流に前記少なくとも２つの単位操作を通過させる工程と、
・所定の有効な方法で前記流体流から試料サンプリングする工程と、
・前記流体流中の混入物濃度をモニターするために試料中の混入物濃度を決定する工程とを含み、
連続的で、密閉式の、病原体を低減した条件で実施される、方法。
【請求項２】
前記少なくとも１種の混入物は、微生物混入物および／または有毒混入物であり、
・前記方法は、前記少なくとも２つの単位操作を分離する、孔径が０．０５〜２μｍの少なくとも１つのフィルターを設けることをさらに含み、
・前記流体流は、１つの単位操作から第２の単位操作へ流れる際に、孔径が０．０５〜２μｍの前記フィルターを通り、
・所定の有効な方法で前記流体流から試料サンプリングすることは、孔径が０．０５〜２μｍの前記フィルターを前記流体流が通る直前に前記流体流から試料サンプリングすることによってなされる、
請求項１に記載の方法。
【請求項３】
所定の有効な方法で前記流体流から試料サンプリングすることは、前記第１および／または前記第２の単位操作に関連した所定の時点で前記流体流から試料サンプリングすること、および／または前記流体流の或る特性が所定の閾値に達したときに前記流体流から試料サンプリングすることによってなされる、請求項１または２に記載の方法。
【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
ロッド状要素を製造するたばこ産業機械において一続きの繊維バンド内に一続きのストリップを供給する供給装置であって、前記繊維バンドは、前記一続きの繊維バンドに囲まれた前記一続きのストリップを備える一続きのロッドの形態に形成され、前記供給装置は、
前記一続きのストリップを供給するためのストリップ提供部と、
前記一続きの繊維バンドの中央部に前記一続きのストリップを供給するストリップ供給部と
を備え、
前記供給装置は、前記ストリップ供給部が、前記ロッド状要素を製造する前記たばこ産業機械内において、前記一続きのロッドを形成するための繊維バンド準備部とガニチャ部の間に配置されるように構成され、
前記供給装置は、
前記一続きのストリップを誘導する誘導面を含む円周面を有する供給ホイールと、
回転式の前記誘導面に配置されている少なくとも１つの回転ローラの形態のサイド誘導面とをさらに備える
供給装置。
【請求項２】
前記誘導面は円筒状である請求項１に記載の供給装置。
【請求項３】
前記供給装置は、誘導面をさらに有し、
前記誘導面および前記円筒状の誘導面は前記一続きのストリップを誘導するためのダクトを形成する
請求項２に記載の供給装置。
【請求項４】
前記誘導面は、
回転式の前記円筒状の誘導面に位置している静止サイド誘導面の形態を有する
請求項３に記載の供給装置。
【請求項５】
前記静止サイド誘導面は、前記供給ホイールの回転軸に対して垂直である
請求項４に記載の供給装置。
【請求項６】
前記静止サイド誘導面は円錐状である、
請求項４に記載の供給装置。
【請求項７】
前記供給ホイールの前記円周面は、前記一続きのストリップを誘導するように構成された円周方向溝を有し、前記円周方向溝は、前記円筒状の誘導面および前記サイド誘導面を含む
請求項２に記載の供給装置。
【請求項８】
前記円筒状の誘導面に対して平行に配置された、円筒の一部の形態をした静止誘導面を備える
請求項２から７のいずれか１項に記載の供給装置。
【請求項９】
ロッド状要素を製造するための機械であって、前記機械は、
一続きの繊維バンドを供給する繊維バンド提供部と、
前記繊維バンドを準備する繊維バンド準備部と、
一続きのストリップを供給する供給装置と、
包装体を供給する包装体供給部と、
一続きのロッドを形成するガニチャ部であって、前記一続きのロッドは、前記繊維バンドおよび前記一続きのストリップを含み、前記包装体に包まれている、ガニチャ部と、
前記一続きのロッドを前記ロッド状要素に切断する切断ヘッドと、
を備え、
前記供給装置は、請求項１から８のいずれか１項に記載の供給装置である
機械。
【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
式Ａ−Ｌ−Ｂを有するグリア由来神経栄養因子（ＧＤＮＦ）融合ポリペプチドであって、式中、
ＡはＦｃドメイン、アルブミン結合ペプチド、フィブロネクチンドメイン、又はヒト血清アルブミンを含み、
Ｌはリンカーであり、かつ
Ｂは、配列番号１のアミノ酸１１８〜２１１を含む参照ＧＤＮＦ配列に対して少なくとも８０％の配列同一性を有するＧＤＮＦ改変体を含む、ＧＤＮＦ融合ポリペプチド。
【請求項２】
ＡはＦｃドメインを含む、請求項１に記載のＧＤＮＦ融合ポリペプチド。
【請求項３】
ＡはＦｃドメインを含み、前記ＦｃドメインのＮ末端に結合したアルブミン結合ペプチド、フィブロネクチンドメイン、又はヒト血清アルブミンをさらに含む、請求項１に記載のＧＤＮＦ融合ポリペプチド。
【請求項４】
Ａはアルブミン結合ペプチドを含む、請求項１に記載のＧＤＮＦ融合ポリペプチド。
【請求項５】
Ａはフィブロネクチンドメインを含む、請求項１に記載のＧＤＮＦ融合ポリペプチド。
【請求項６】
Ａはヒト血清アルブミンを含む、請求項１に記載のＧＤＮＦ融合ポリペプチド。
【請求項７】
ＧＤＮＦ改変体は、配列番号１のアミノ酸９２〜２１１又はその断片からなる、請求項１に記載のＧＤＮＦ融合ポリペプチド。
【請求項８】
前記参照ＧＤＮＦ配列は、配列番号１のアミノ酸１１７〜２１１、配列番号１のアミノ酸１１０〜２１１、配列番号１のアミノ酸９２〜２１１、又は配列番号１のアミノ酸７８〜２１１を含む、請求項１に記載のＧＤＮＦ融合ポリペプチド。
【請求項９】
前記Ｆｃドメインは二量体を形成しないか、前記Ｆｃドメインはヒンジドメインを含まないか、又はそれらの両方である、請求項１〜３、７及び８のいずれか一項に記載のＧＤＮＦ融合ポリペプチド。
【請求項１０】
ＧＤＮＦ融合ポリペプチド中のリンカーは結合又はスペーサーである、請求項１〜９のいずれか一項に記載のＧＤＮＦ融合ポリペプチド。
【請求項１１】
ＧＤＮＦ改変体は、配列番号１のアミノ酸１１８〜２１１、１１７〜２１１、１１０〜２１１、９２〜２１１、又は７８〜２１１からなる、請求項１〜１０のいずれか一項に記載のＧＤＮＦ融合ポリペプチド。
【請求項１２】
請求項１〜１１のいずれか一項に記載のＧＤＮＦ融合ポリペプチドをコードする核酸分子。
【請求項１３】
請求項１２に記載の核酸分子を含むベクター。
【請求項１４】
請求項１〜１１のいずれか一項に記載のＧＤＮＦ融合ポリペプチド、請求項１２に記載の核酸分子、又は請求項１３に記載のベクターを発現する宿主細胞。
【請求項１５】
請求項１〜１１のいずれか一項に記載のＧＤＮＦ融合ポリペプチド、請求項１２に記載の核酸分子、又は請求項１３に記載のベクターと、１つ以上の薬学的に許容される担体又は賦形剤とを含む医薬組成物。
【請求項１６】
対象における代謝性疾患を治療及び／又は予防するための医薬組成物であって、治療有効量の請求項１〜１１のいずれか一項に記載のＧＤＮＦ融合ポリペプチド、請求項１２に記載の核酸分子、又は請求項１３に記載のベクターを含み、前記医薬組成物は、前記対象に投与されるものである医薬組成物。
【請求項１７】
代謝性疾患は、肥満、１型糖尿病、及び２型糖尿病からなる群から選択される、請求項１６に記載の医薬組成物。
【請求項１８】
対象における神経学的疾患を治療及び／又は予防するための医薬組成物であって、治療有効量の請求項１〜１１のいずれか一項に記載のＧＤＮＦ融合ポリペプチド、請求項１２に記載の核酸分子、又は請求項１３に記載のベクターを含み、前記医薬組成物は、前記対象に投与されるものである医薬組成物。
【請求項１９】
神経学的疾患は、統合失調症、てんかん、筋萎縮性側索硬化症（ＡＬＳ）、パーキンソン病、アルツハイマー病、ハンチントン病、不安、卒中、脳腫瘍、及び脳転移からなる群から選択される、請求項１８に記載の医薬組成物。
【手続補正書】
【提出日】令和2年10月6日(2020.10.6)
【手続補正１】
【補正対象書類名】特許請求の範囲
【補正対象項目名】全文
【補正方法】変更
【補正の内容】
【特許請求の範囲】
【請求項１】
複数の核酸分子を分析するための方法であって：
（ａ）複数の区画を含むデバイスを提供する工程であって、ここで、前記複数の区画の少なくとも部分集合は前記複数の核酸分子を含み、ここで、前記複数の区画の前記少なくとも部分集合の各区画は、前記複数の区画の前記少なくとも部分集合を前記複数の区画の前記少なくとも部分集合の外部の環境から分離する少なくとも１つの薄膜を通る、前記複数の区画の前記少なくとも部分集合から前記複数の区画の前記少なくとも部分集合の外部の環境へのガスフローを可能にするように構成され、ここで、前記少なくとも１つの薄膜は、（ｉ）第１の圧力差が前記少なくとも１つの薄膜にわたって加えられる場合、実質的に非ガス透過性であり、および（ｉｉ）前記第１の圧力差より大きい第２の圧力差が前記少なくとも１つの薄膜にわたって加えられる場合、実質的にガス透過性である、工程と；
（ｂ）圧力差を前記少なくとも１つの薄膜にわたって加えて、前記複数の区画におけるガスを、前記少なくとも１つの薄膜を通って前記外部の環境への流れにさらすために、流体流動装置を使用する工程と；
（ｃ）前記複数の区画の前記少なくとも部分集合を制御された加熱にさらしている間、前記複数の区分の前記少なくとも部分集合から信号を収集する工程と；
（ｄ）前記複数の区画の前記少なくとも部分集合における前記複数の核酸分子の少なくとも部分集合の少なくとも１つの融点を示すデータをもたらすために、（ｃ）において収集された前記信号を処理する工程と、を含む、方法。
【請求項２】
（ａ）に先立って、核酸試料の増幅産物として前記複数の核酸分子をもたらすのに十分な条件下で、前記核酸試料に対して核酸増幅反応を行なう工程をさらに含む、請求項１に記載の方法。
【請求項３】
前記核酸増幅反応を行なう前に、前記複数の区画の前記少なくとも部分集合に前記核酸試料を充填する工程をさらに含む、請求項２に記載の方法。
【請求項４】
前記核酸試料に対して核酸増幅反応を行う工程は、前記核酸試料の核酸分子の少なくとも部分集合の内部転写されたスペーサー領域の少なくとも一部を増幅することを含む、請求項２に記載の方法。
【請求項５】
（ｃ）は、前記信号を収集するために、前記複数の区画の前記少なくとも部分集合を画像化することを含む、請求項１に記載の方法。
【請求項６】
（ｄ）における前記処理する工程は、前記複数の区画の前記少なくとも部分集合における、前記複数の核酸分子の前記少なくとも部分集合について、信号対温度データを生成するために前記信号を使用することを含む、請求項１に記載の方法。
【請求項７】
前記複数の核酸分子は、病原体を含有しているか、または含有していることが疑わしい試料に由来する、請求項１に記載の方法。
【請求項８】
前記病原体は少なくとも１つの細菌である、請求項７に記載の方法。
【請求項９】
（ａ）に先立って、前記複数の核酸分子またはそれらの部分集合を、前記少なくとも１つの細菌から単離または抽出する工程をさらに含む、請求項８に記載の方法。
【請求項１０】
前記複数の区画の前記少なくとも部分集合の各区画において、前記病原体の有無を判定するために前記少なくとも１つの融点を示す前記データを使用する工程をさらに含む、請求項７に記載の方法。
【請求項１１】
前記複数の核酸分子を前記複数の区画に充填する工程をさらに含み、ここで、前記充填する工程の間、前記複数の区画の前記少なくとも部分集合におけるガスは、前記複数の区画の前記少なくとも部分集合から、前記少なくとも１つの薄膜を通って、前記複数の区画の前記少なくとも部分集合の前記外部の環境への流れを受ける、請求項１に記載の方法。
【請求項１２】
前記複数の核酸分子は血液試料に由来する、請求項１に記載の方法。
【請求項１３】
前記複数の核酸分子内の１つ以上の変異体を同定するために、前記少なくとも１つの融点を使用する工程をさらに含む、請求項１に記載の方法。
【請求項１４】
前記１つ以上の変異体を定量化する工程をさらに含む、請求項１３に記載の方法。
【請求項１５】
複数の核酸分子を分析するための方法であって：
（ａ）複数の区画を含むデバイスを提供する工程であって、ここで、前記複数の区画の少なくとも部分集合は前記複数の核酸分子を含み、ここで、前記複数の区画の前記少なくとも部分集合の各区画は、前記複数の区画の前記少なくとも部分集合を前記複数の区画の前記少なくとも部分集合の外部の環境から分離する少なくとも１つの薄膜を通る、前記複数の区画の前記少なくとも部分集合から前記複数の区画の前記少なくとも部分集合の外部の環境へのガスフローを可能にするように構成され、ここで、前記少なくとも１つの薄膜は、（ｉ）第１の圧力差が前記少なくとも１つの薄膜にわたって加えられる場合、実質的に非ガス透過性であり、および（ｉｉ）前記第１の圧力差より大きい第２の圧力差が前記少なくとも１つの薄膜にわたって加えられる場合、実質的にガス透過性である、工程と；
（ｂ）圧力差を前記少なくとも１つの薄膜にわたって加えて、前記複数の区画におけるガスを、前記少なくとも１つの薄膜を通って前記外部の環境への流れにさらすために、流体流動装置を使用する工程と；
（ｃ）複数の核酸分子の少なくとも部分集合から増幅産物を生成するために、前記複数の核酸分子を使用して、前記複数の区画の前記少なくとも部分集合を、核酸増幅反応を行なうのに十分な条件にさらす工程と；
（ｄ）（ｃ）において前記複数の区画の前記少なくとも部分集合を前記の条件にさらしている間、複数の時点にわたって、前記複数の区画の前記少なくとも部分集合から信号を収集する工程と；
（ｅ）前記複数の区画の前記少なくとも部分集合における核酸分子の数を判定するために前記信号を処理する工程と、含む、方法。
【請求項１６】
（ｃ）における前記複数の区画の前記少なくとも部分集合を、核酸増幅反応を行うのに十分な条件にさらす工程は熱サイクルを含み、ここで、（ｄ）における前記信号を収集する工程は、前記複数の区画の前記少なくとも部分集合の各区画から１熱サイクル当たり１回より多く信号を収集することを含む、請求項１５に記載の方法。
【請求項１７】
前記熱サイクルはフラットブロックサーマルサイクラーを使用して行なわれる、請求項１５に記載の方法。
【請求項１８】
（ｄ）は、前記信号を収集するために、前記複数の区画の前記少なくとも部分集合を画像化することを含む、請求項１５に記載の方法。
【請求項１９】
（ｄ）は、２以上の波長で蛍光発光を検出する検出器を用いて行われる、請求項１５に記載の方法。
【請求項２０】
（ｅ）は、前記複数の区画の前記少なくとも部分集合の各区画について光強度を判定することを含み、ここで、前記光強度が前記複数の区画の前記少なくとも部分集合の各々における増幅産物の量に比例する、請求項１５に記載の方法。
【請求項２１】
前記複数の核酸分子を前記複数の区画に充填する工程をさらに含み、ここで、前記充填する工程の間、前記複数の区画の前記少なくとも部分集合におけるガスは、前記複数の区画の前記少なくとも部分集合から、前記少なくとも１つの薄膜を通って、前記複数の区画の前記少なくとも部分集合の前記外部の環境への流れを受ける、請求項１５に記載の方法。
【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
患者における眼の炎症、浮腫、及び／または、血管透過性を予防または処置するための医薬組成物であって、アミノ酸配列ＬＲＲＦＳＴＡＰＦＡＦＩＤＩＮＤＶＩＮＦ（配列番号３）を含むペプチドを含み、前記配列が任意で配列番号３に対する１から５つのアミノ酸置換、挿入、または欠失を有し、硝子体内注射によって前記患者に粒子へのカプセル化を伴わない前記ペプチドの用量で約１００μｇから約１０００μｇ投与され、前記投与の頻度がおよそ２ヶ月に１回を超えない、前記医薬組成物。
【請求項２】
前記患者が糖尿病黄斑浮腫を有する、請求項１に記載の医薬組成物。
【請求項３】
前記患者が加齢黄斑変性（ＡＭＤ）を有する、請求項１に記載の医薬組成物。
【請求項４】
前記患者が湿性加齢黄斑変性（湿性ＡＭＤ）を有する、請求項３に記載の医薬組成物。
【請求項５】
前記患者が網膜静脈閉塞症を有する、請求項１に記載の医薬組成物。
【請求項６】
前記患者が糖尿病性網膜症を有する、請求項１に記載の医薬組成物。
【請求項７】
前記患者がぶどう膜炎を有する、請求項１に記載の医薬組成物。
【請求項８】
前記投与の頻度がおよそ３ヶ月に１回を超えない、請求項１に記載の医薬組成物。
【請求項９】
前記投与の頻度がおよそ６ヶ月に１回を超えない、請求項１に記載の医薬組成物。
【請求項１０】
前記用量が約２００μｇから約８００μｇである、請求項１に記載の医薬組成物。
【請求項１１】
前記用量が約４００μｇから約８００μｇである、請求項１に記載の医薬組成物。
【請求項１２】
前記ペプチドがＬＲＲＦＳＴＸＰＸＸＸＸＤＩＮＤＶＸＮＦ（配列番号４）に示されるアミノ酸配列を含み、Ｘは、標準的なアミノ酸または遺伝子にコードされていないアミノ酸である、請求項１に記載の医薬組成物。
【請求項１３】
配列番号４の位置７のＸはＭ、Ａ、またはＧであり、配列番号４の位置９のＸはＦ、Ａ、Ｙ、またはＧであり、配列番号４の位置１０のＸはＭ、Ａ、Ｇ、Ｄ−アラニン（ｄＡ）、またはノルロイシン（Ｎｌｅ）であり、配列番号４の位置１１のＸはＦ、Ａ、Ｙ、Ｇ、または４−クロロフェニルアラニン（４−ＣｌＰｈｅ）であり、配列番号４の位置１２及び位置１８のＸは、独立して、２−アミノ酪酸（Ａｂｕ）、Ｇ、Ｓ、Ａ、Ｖ、Ｔ、Ｉ、Ｌ、またはアリルグリシン（ＡｌｌｙｌＧｌｙ）から選択される、請求項１２に記載の医薬組成物。
【請求項１４】
前記ペプチドがアミノ酸配列ＬＲＲＦＳＴＡＰＦＡＦＩＤＩＮＤＶＩＮＦ（配列番号３）を有する、請求項１に記載の医薬組成物。
【請求項１５】
前記ペプチドがアミノ酸配列ＬＲＲＦＳＴＡＰＦＡＦＩＮＩＮＮＶＩＮＦ（配列番号１９）を有する、請求項１に記載の医薬組成物。
【請求項１６】
ＶＥＧＦ遮断療法または阻害剤療法がうまくいかなかった後に投与される、請求項１に記載の医薬組成物。
【請求項１７】
前記患者の状態がＶＥＧＦ遮断療法または阻害剤療法に対して抵抗性であるか、または部分的にだけ反応する、請求項１に記載の医薬組成物。
【請求項１８】
ＶＥＧＦ遮断療法または阻害剤療法の代替として投与される、請求項１に記載の医薬組成物。
【請求項１９】
ＶＥＧＦ遮断療法と組み合わせて投与される、請求項１に記載の医薬組成物。
【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
癌が癌幹細胞を含む癌である場合の、癌を治療するための医薬組成物であって、式（Ｉ）：
【化１】
2019535699.tif 000001
［式中、
Ｎ１−Ｎ１−Ｎ１は、Ｎ，Ｎ，Ｎ−三座アザ芳香族配位子を表し；
Ｎ２−Ｎ２は、Ｎ，Ｎ−二座アザ芳香族配位子を表し；
Ｘは、ＯＨ２、Ｃｌ、Ｂｒ、Ｉ、およびＳＲ１Ｒ２から選択され；
Ｒ１およびＲ２は、独立に、置換されていてよいＣ１−Ｃ１２アルキルから選択され；
Ｙ−は、一価のアニオンであり；かつ
ｎは、１または２である］
のルテニウム錯体を含んでなる、医薬組成物。
【請求項２】
Ｎ１−Ｎ１−Ｎ１が、以下：
【化２】
2019535699.tif 000002
［式中、各基Ｒ’は、独立に、水素、置換されていてよいＣ１−Ｃ６アルキル、置換されていてよいＣ６−Ｃ１４アリール、置換されていてよい５員〜１０員のヘテロアリール、およびハロゲンから選択される］
からなる群から選択される、請求項１に記載の医薬組成物。
【請求項３】
Ｎ２−Ｎ２が、以下：
【化３】
2019535699.tif 000003
［式中、各基Ｒ’は、独立に、水素、置換されていてよいＣ１−Ｃ６アルキル、置換されていてよいＣ６−Ｃ１４アリール、置換されていてよい５員〜１０員のヘテロアリール、およびハロゲンから選択される］
からなる群から選択される、請求項１または２に記載の医薬組成物。
【請求項４】
Ｎ１−Ｎ１−Ｎ１が
【化４】
2019535699.tif 000004
を表し、かつＮ２−Ｎ２が
【化５】
2019535699.tif 000005
を表し、式中、各基Ｒ’は、独立に、水素、置換されていてよいＣ１−Ｃ６アルキル、置換されていてよいＣ６−Ｃ１４アリール、置換されていてよい５員〜１０員のヘテロアリール、およびハロゲンから選択される、請求項１に記載の医薬組成物。
【請求項５】
前記ルテニウム錯体が、下式：
【化６】
2019535699.tif 000006
［式中、
Ｘは、ＯＨ２、Ｃｌ、Ｂｒ、Ｉ、およびＳＲ１Ｒ２から選択され；
Ｒ１およびＲ２は、独立に、置換されていてよいＣ１−Ｃ１２アルキルから選択され；
Ｙ−は、一価のアニオンであり；かつ
ｎは、１または２である］
を有する、請求項１〜４のいずれか一項に記載の医薬組成物。
【請求項６】
前記ルテニウム錯体が、以下：
【化７】
2019535699.tif 000007
（式中、Ｙ−は、一価のアニオンである）
からなる群から選択される、請求項１〜５のいずれか一項に記載の医薬組成物。
【請求項７】
前記癌が、乳癌、肺癌、結腸癌、前立腺癌、卵巣癌、膵臓癌、子宮頸癌、および腎臓癌から選択される、請求項１〜６のいずれか一項に記載の医薬組成物。
【請求項８】
前記癌が、膵臓癌、好ましくは膵腺癌である、請求項７に記載の医薬組成物。
【請求項９】
以下：
・請求項１〜６のいずれか一項に記載の式（Ｉ）のルテニウム錯体、および
・ＡＢＣＧ２基体もしくは抗腫瘍薬
を含んでなるコンジュゲート。
【請求項１０】
前記ＡＢＣＧ２基体が、イマチニブ、ゲフィチニブ、フラボピロドール、トポテカン、イリノテカン、ＳＮ−３８、ミトキサントロン、シメチジン、プラゾシン、スタチン類、ジドブジン、エストロン、１７β−エストラジオール、プロトポルフィリンＩＸ、２−アミノ−１−メチル−６−フェニルイミダゾ［４,５−ｂ］ピリジン、アムサクリン、アスパラギナーゼ、アザチオプリン、ビサントレン、ブレオマイシン、ブスルファン、カペシタビン、カルボプラチン、カルムスチン、クロランブシル、シスプラチン、クラドリビン、クロファラビン、シクロホスファミド、シタラビン、ダカルバジン、ダクチノマイシン、ダウノルビシン、ドセタキセル、ドキソルビシン、エピルビシン、エトポシド、フラボピリドール、フルダラビン、フルオロウラシル、ゲムシタビン、イダルビシン、イホスファミド、イリノテカン、ヒドロキシ尿素、ロイコボリン、リポソームダウノルビシン、リポソームドキソルビシン、ロムスチン、クロルメチン、メルファラン、メルカプトプリン、メスナ、メトトレキサート、マイトマイシン、ミトキサントロン、オキサリプラチン、パクリタキセル、ペメトレキセド、ペントスタチン、プロカルバジン、サトラプラチン、ストレプトゾトシン、テガフール・ウラシル、テモゾロミド、テニポシド、チオグアニン、チオテパ、トレオスルファン、トポテカン、ビンブラスチン、ビンクリスチン、ビンデシン、ＳＮ−３８、ビノレルビン、リボフラビン、Ｄ−ルシフェリン、ローダミン１２３、フェオホルビドａ、ＢＯＤＩＰＹ−プラゾシン、およびヘキスト３３３４２から選択される、請求項９に記載のコンジュゲート。
【請求項１１】
前記ＡＢＣＧ２基体がリボフラビンである、請求項９または１０に記載のコンジュゲート。
【請求項１２】
前記ルテニウム錯体が式（Ｉ’）：
【化８】
2019535699.tif 000008
［式中、Ｘ、ｎ、およびＹは、請求項１〜６のいずれか一項に記載のとおりである］
の錯体である、請求項９〜１１のいずれか一項に記載のコンジュゲート。
【請求項１３】
式（Ｉ）のルテニウム錯体中のＸがＳＲ１Ｒ２を表し、ここで、Ｒ１およびＲ２は、独立に、置換されていてよいＣ１−Ｃ１２アルキルから選択される、請求項１２に記載のコンジュゲート。
【請求項１４】
Ｘが式：
【化９】
2019535699.tif 000009
［式中、
Ｒａは、ＯＨ、Ｃ１−Ｃ６  Ｏ−アルキル、ＯＡｃ、ＮＨ２、Ｃ１−Ｃ６  ＮＨ−アルキル、Ｎ（Ｃ１−Ｃ６アルキル）２、およびＮＨＡｃから選択され；かつ
各Ｒｂは、独立に、Ｈ、Ｃ１−Ｃ６アルキル、およびＡｃから選択される］の化合物である、請求項１２または１３に記載のコンジュゲート。
【請求項１５】
前記ルテニウム錯体と、前記ＡＢＣＧ２基体または前記抗腫瘍薬とに共有結合しているリンカーを含んでなる、請求項９〜１４のいずれか一項に記載のコンジュゲート。
【請求項１６】
以下：
・請求項１〜６のいずれか一項に記載の式（Ｉ）のルテニウム錯体（式中、Ｘはメチオニンである）、
・リボフラビン、および
・任意で、前記ルテニウム錯体の前記メチオニンと、リボフラビンとに共有結合しているリンカー
を含んでなる、請求項９〜１５のいずれか一項に記載のコンジュゲート。
【請求項１７】
下記の構造：
【化１０】
2019535699.tif 000010
（式中、Ｙ−は、一価のアニオンである）
を有する、請求項１６に記載のコンジュゲート。
【請求項１８】
癌が癌幹細胞を含む癌である場合の、癌を治療するための医薬組成物であって、請求項９〜１７のいずれか一項に記載のコンジュゲートを含んでなる、医薬組成物。
【請求項１９】
前記癌が、乳癌、肺癌、結腸癌、前立腺癌、卵巣癌、膵臓癌、子宮頸癌、および腎臓癌から選択される、請求項１８に記載の医薬組成物。
【請求項２０】
前記癌が、膵臓癌、好ましくは膵腺癌である、請求項１８または１９に記載の医薬組成物。
【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
被験体のアトピー性皮膚炎の症状の処置または減少に使用するための、以下の構造を有するシクロヘキセノン化合物、または、その薬学的に許容可能な塩、代謝産物、溶媒和物、あるいはプロドラッグを含む、医薬組成物であって、
【化１】
2019535697.tif 000001
式中、
ＸおよびＹの各々は、独立して、酸素、ＮＲ５または硫黄であり、
Ｒは、水素またはＣ（＝Ｏ）Ｃ１−Ｃ８アルキルであり、
Ｒ１、Ｒ２、およびＲ３の各々は独立して、水素、随意に置換されたメチル、または（ＣＨ２）ｍ−ＣＨ３であり、
Ｒ４は、ＮＲ５Ｒ６、ＯＲ５、ＯＣ（＝Ｏ）Ｒ７、Ｃ（＝Ｏ）ＯＲ５、Ｃ（＝Ｏ）Ｒ５、Ｃ（＝Ｏ）ＮＲ５Ｒ６、ハロゲン、５員または６員のラクトン、Ｃ１−Ｃ８アルキル、Ｃ２−Ｃ８アルケニル、Ｃ２−Ｃ８アルキニル、アリール、グルコシルであり、ここで、５員または６員のラクトン、Ｃ１−Ｃ８アルキル、Ｃ２−Ｃ８アルケニル、Ｃ２−Ｃ８アルキニル、アリール、およびグルコシルは、ＮＲ５Ｒ６、ＯＲ５、ＯＣ（＝Ｏ）Ｒ７、Ｃ（＝Ｏ）ＯＲ５、Ｃ（＝Ｏ）Ｒ５、Ｃ（＝Ｏ）ＮＲ５Ｒ６、Ｃ１−Ｃ８アルキル、Ｃ２−Ｃ８アルケニル、Ｃ２−Ｃ８アルキニル、Ｃ３−Ｃ８シクロアルキル、およびＣ１−Ｃ８ハロアルキルから選択される、１つ以上の置換基によって随意に置換され、
Ｒ５およびＲ６の各々は、独立して、水素またはＣ１−Ｃ８アルキルであり、
Ｒ７はＣ１−Ｃ８アルキル、ＯＲ５、またはＮＲ５Ｒ６であり、
ｍ＝１−１２であり、および、
ｎ＝１−１２である、医薬組成物。
【請求項２】
アトピー性皮膚炎の減少する症状とは、減少した皮膚炎の外観、皮膚生理機能の回復、湿潤効果の回復、炎症を起こした皮膚の表皮層と真皮層の厚さの減少、または、好酸球とランゲルハンス細胞の浸潤現象の減少である、請求項１に記載の医薬組成物。
【請求項３】
アトピー性皮膚炎の減少する症状とは、被験体におけるＴＳＬＰまたは総ＩｇＥの濃度の減少、ＩＦＮ−γまたはＩＬ−１２の濃度の増加、あるいはＩＬ−４またはＴＮＦ−αの濃度の減少である、請求項１に記載の医薬組成物。
【請求項４】
前記シクロヘキセノン化合物、またはその薬学的に許容可能な塩、代謝産物、溶媒和物、あるいはプロドラッグは、経口で、非経口で、静脈内で、または注射により投与される、請求項１に記載の医薬組成物。
【請求項５】
前記シクロへキセノン化合物、またはその薬学的に許容可能な塩、代謝産物、溶媒和物、あるいはプロドラッグは、経口的に使用される、請求項１に記載の医薬組成物。
【請求項６】
前記シクロへキセノン化合物は、ベニクスノキタケから単離されるか、または、合成的にあるいは半合成的に調製される、請求項１に記載の医薬組成物。
【請求項７】
Ｒは、水素、Ｃ（＝Ｏ）Ｃ３Ｈ８、Ｃ（＝Ｏ）Ｃ２Ｈ５、またはＣ（＝Ｏ）ＣＨ３である、請求項１に記載の医薬組成物。
【請求項８】
Ｒ１、Ｒ２、およびＲ３の各々は独立して、水素、メチル、エチル、プロピル、ブチル、ペンチル、ヘキシル、ヘプチル、またはオクチルである、請求項１に記載の医薬組成物。
【請求項９】
Ｒ１は水素またはメチルである、請求項８に記載の医薬組成物。
【請求項１０】
Ｒ２は水素またはメチルである、請求項８に記載の医薬組成物。
【請求項１１】
Ｒ４は、ハロゲン、ＮＨ２、ＮＨＣＨ３、Ｎ（ＣＨ３）２、ＯＣＨ３、ＯＣ２Ｈ５、Ｃ（＝Ｏ）ＣＨ３、Ｃ（＝Ｏ）Ｃ２Ｈ５、Ｃ（＝Ｏ）ＯＣＨ３、Ｃ（＝Ｏ）ＯＣ２Ｈ５、Ｃ（＝Ｏ）ＮＨＣＨ３、Ｃ（＝Ｏ）ＮＨＣ２Ｈ５、Ｃ（＝Ｏ）ＮＨ２、ＯＣ（＝Ｏ）ＣＨ３、ＯＣ（＝Ｏ）Ｃ２Ｈ５、ＯＣ（＝Ｏ）ＯＣＨ３、ＯＣ（＝Ｏ）ＯＣ２Ｈ５、ＯＣ（＝Ｏ）ＮＨＣＨ３、ＯＣ（＝Ｏ）ＮＨＣ２Ｈ５、またはＯＣ（＝Ｏ）ＮＨ２である、請求項１に記載の医薬組成物。
【請求項１２】
Ｒ４は、Ｃ２Ｈ５Ｃ（ＣＨ３）２ＯＨ、Ｃ２Ｈ５Ｃ（ＣＨ３）２ＯＣＨ３、ＣＨ２ＣＯＯＨ、Ｃ２Ｈ５ＣＯＯＨ、ＣＨ２ＯＨ、Ｃ２Ｈ５ＯＨ、ＣＨ２Ｐｈ、Ｃ２Ｈ５Ｐｈ、ＣＨ２ＣＨ＝Ｃ（ＣＨ３）（ＣＨＯ）、ＣＨ２ＣＨ＝Ｃ（ＣＨ３）（Ｃ（＝Ｏ）ＣＨ３）、５員または６員のラクトン、アリール、またはグルコシルであり、ここで、５員または６員のラクトン、アリール、およびグルコシルは、ＮＲ５Ｒ６、ＯＲ５、ＯＣ（＝Ｏ）Ｒ７、Ｃ（＝Ｏ）ＯＲ５、Ｃ（＝Ｏ）Ｒ５、Ｃ（＝Ｏ）ＮＲ５Ｒ６、Ｃ１−Ｃ８アルキル、Ｃ２−Ｃ８アルケニル、Ｃ２−Ｃ８アルキニル、Ｃ３−Ｃ８シクロアルキル、およびＣ１−Ｃ８ハロアルキルから選択される、１つ以上の置換基によって随意に置換される、請求項１に記載の医薬組成物。
【請求項１３】
Ｒ４は、ＮＲ５Ｒ６、ＯＲ５、ＯＣ（＝Ｏ）Ｒ７、Ｃ（＝Ｏ）ＯＲ５、Ｃ（＝Ｏ）Ｒ５、Ｃ（＝Ｏ）ＮＲ５Ｒ６、Ｃ１−Ｃ８アルキル、Ｃ２−Ｃ８アルケニル、Ｃ２−Ｃ８アルキニル、Ｃ３−Ｃ８シクロアルキル、およびＣ１−Ｃ８ハロアルキルから選択される、１つ以上の置換基によって随意に置換される、請求項１に記載の医薬組成物。
【請求項１４】
Ｒ４はＣＨ２ＣＨ＝Ｃ（ＣＨ３）２である、請求項１３に記載の医薬組成物。
【請求項１５】
前記シクロヘキセノン化合物は
【化２】
2019535697.tif 000002
である、請求項１４に記載の医薬組成物。
【手続補正２】
【補正対象書類名】明細書
【補正対象項目名】００１２
【補正方法】変更
【補正の内容】
【００１２】
本発明は、特定のシクロヘキセノン化合物（低用量、中程度の用量、または高用量の化合物１など）を供給することによって、ＡＤを抱えるマウスの疾病が著しく改善することを発見した。その改善は、例えば、減少した皮膚炎の外観、皮膚生理機能と湿潤効果の回復、炎症を起こした皮膚の表皮層と真皮層の厚さの減少、および好酸球とランゲルハンス細胞の浸潤現象の減少を含む。組織染色方法に基づいて、ＡＤ炎症を引き起こすＴＳＬＰと総ＩｇＥの量は、ＡＤ疾病を抱えるマウスに化合物１を与えることにより、用量依存的に減少した。脾臓細胞とリンパ節細胞を刺激することによる実験に基づいて、例示的な化合物はさらに、ＩＦＮ−γとＩＬ−１２の濃度を増加させ、および、ＩＬ−４とＴＮＦ−αの濃度を減少させるなど、特定のサイトカインを調節することができる。したがって、本明細書に記載されるたシクロヘキセノン化合物は、ＡＤを処置されている被験体に治療効果をもたらす（実施例１−４を参照）。
【手続補正３】
【補正対象書類名】明細書
【補正対象項目名】００１９
【補正方法】変更
【補正の内容】
【００１９】
いくつかの実施形態において、ＡＤの減少する症状とは、減少した皮膚炎の外観、皮膚の生理機能の回復、皮膚の湿潤効果の回復、炎症を起こした皮膚の表皮層と真皮層の厚さの減少、好酸球とランゲルハンス細胞の浸潤現象の減少などである。いくつかの実施形態において、ＡＤの減少する症状とは、被験体のＴＳＬＰまたは総ＩｇＥの濃度の減少、被験体におけるＩＦＮ−γまたはＩＬ−１２の濃度の増加、あるいはＩＬ−４またはＴＮＦ−αの濃度の減少である。実施例２−３を参照。
【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
２以上の異なる生存アクネ菌(P. acnes)細菌株を含む、皮膚へ局所投与するための組成物であって、アクネ菌ＳＬＳＴ  Ｃ３型株および／またはアクネ菌ＳＬＳＴ  Ｋ８型株を含む、組成物。
【請求項２】
−担体；
−緩衝剤；
−増粘剤；好ましくは、増粘剤がヒドロキシエチルセルロース、デンプン、ゴム、カオリン、水和ケイ酸アルミニウム、フュームドシリカ、カルボキシビニルポリマー、ナトリウムカルボキシメチルセルロース、エチレングリコールモノステアレート、またはアルギン酸ナトリウムを含む；および／または
−ペプトン、ここで好ましくは、ペプトンがカゼイン由来のトリプシン消化ペプトンである、
を、さらに含む、請求項１に記載の組成物。
【請求項３】
ヒドロキシエチルセルロースがＮＡＴＲＯＳＯＬ(登録商標)ヒドロキシエチルセルロース(ＨＥＣ)を含む、請求項２に記載の組成物。
【請求項４】
増粘剤の濃度が約２．５％など約１％〜５％である、および／またはペプトンの濃度が約０.２５％など約０.０５％〜１％である、請求項２または３に記載の組成物。
【請求項５】
１ｍｌあたり約１０４〜１０９コロニー形成単位(ＣＦＵ／ｍｌ)の各生存アクネ菌細菌株など、１ｍｌあたり少なくとも１０４コロニー形成単位(ＣＦＵ／ｍｌ)の各生存アクネ菌細菌株を含む、請求項１〜４のいずれか一項に記載の組成物。
【請求項６】
ゲル剤、クリーム剤、軟膏剤、ローション剤、または粉末の形態である、および／または前記組成物が２成分の分配システムの部分である、請求項１〜５のいずれか一項に記載の組成物。
【請求項７】
−アクネ菌ＳＬＳＴ  Ａ５型株；
−アクネ菌ＳＬＳＴ  Ｆ４型株；および／または
Ｄ１、Ｈ１、Ｈ２、Ｈ３、Ｋ１、Ｋ２、Ｋ４、Ｋ６、Ｋ９およびＬ１  ＳＬＳＴ型株から成る群から選択される付加的アクネ菌細菌株、
をさらに含む、請求項１〜６のいずれか一項に記載の組成物。
【請求項８】
−アクネ菌ＳＬＳＴ  Ｃ３型株およびアクネ菌ＳＬＳＴ  Ｋ８型株が組成物中にほぼ同等の濃度で存在する；
−アクネ菌ＳＬＳＴ  Ｃ３型株が他の生存アクネ菌細菌株より高い濃度で存在する；
−アクネ菌ＳＬＳＴ  Ｃ３型株が組成物中にアクネ菌ＳＬＳＴ  Ｋ８型株より低い濃度で存在する；
−組成物がアクネ菌ＳＬＳＴ  Ｃ３型株、アクネ菌ＳＬＳＴ  Ａ５型株、アクネ菌ＳＬＳＴ  Ｆ４型株およびアクネ菌ＳＬＳＴ  Ｋ８型株を含み、場合により、各菌株の相対濃度がそれぞれ約５５％、約３０％、約１０％および約５％である；
−組成物がリボタイプ６(ＲＴ６)アクネ菌株を含まない、および／またはアクネ菌(P. acnes)のファイロタイプＩＩＩ株を含まない；および／または
−組成物が室温で少なくとも３か月安定である、
請求項１〜７のいずれか一項に記載の組成物。
【請求項９】
対象における皮膚の外見を改善する方法における化粧品としての、請求項１〜８のいずれか一項に記載の組成物の使用であって、好ましくは対象がヒト対象である、使用。
【請求項１０】
医薬としての使用のための請求項１〜８のいずれか一項に記載の組成物。
【請求項１１】
対象における健全な皮膚を維持する方法における使用のための請求項１〜８のいずれか一項に記載の組成物であって、好ましくは対象がヒト対象である、組成物。
【請求項１２】
ざ瘡、脂性肌、進行性黄斑メラニン減少症、ふけ症、アトピー性湿疹、アトピー性皮膚炎および酒さから成る群から選択される、対象における状態を処置または予防する方法における使用のための請求項１〜８のいずれか一項に記載の組成物であって、好ましくは対象がヒト対象である、組成物。
【請求項１３】
前記方法が対象への前記組成物の投与を含み、好ましくは、対象が殺菌剤または抗生物質の処置のような標準的なざ瘡処置もまた受けるか、または以前に受けていたものである、請求項９に記載の使用または請求項１１もしくは１２に記載の使用のための組成物。
【請求項１４】
２以上の異なる凍結乾燥させた生存アクネ菌(P. acnes)細菌株を収容した容器を含むキットであって、ここで、前記凍結乾燥させた生存細菌株がアクネ菌ＳＬＳＴ  Ｃ３型株および／またはアクネ菌ＳＬＳＴ  Ｋ８型株を含む、キット。
【請求項１５】
殺菌剤または抗生物質をさらに含む、請求項１４に記載のキット。
【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
破断可能な方法で、ベントパネル（１１）と、このベントパネル（１１）から離間した注ぎ口パネル（１２）とを組み込んでいる端壁（１０）を備えたタイプの飲料缶の開口に関する、構造的配置であって、
この構造的配置は、前記パネル（１１、１２）が、全体として断裂ライン（１１ａ、１２ａ）によって規定されたパネルの輪郭を有し、
この構造的配置には、第１の作動タブ（３０）と、第２の作動タブ（４０）とが、やはり設けられており、
第１の作動タブは、
ベントパネル（１１）の外側に取り付けられた、引抜き端部分（３１）と、
手動で、かつ、角度的に、缶（Ｌ）の端壁（１０）から離れて変位可能であるとともに、ベントパネル（１１）とともに、缶（Ｌ）から分離される、グリップ端部分（３２）と、を有し、
第２の作動タブ（４０）は、ベントパネル（１１）が除去された後に任意選択的に作動され、パンチ端部分（４１）を有し、
パンチ端部分（４１）は、一体のピースでヒンジ領域（４３ａ）を通して、第２の作動タブ（４０）から切られるとともに、注ぎ口パネル（１２）の外側に取り付けられた第２の作動タブ（４０）の部分を規定する、タブ部分（４３）を組み込んでおり、
前記タブ部分（４３）には、注ぎ口パネル（１２）の輪郭を規定する断裂ライン（１２ａ）の、対面しているスポット領域（１２ｂ）に対して押圧される端部下方歯（４６）が設けられており、
前記第２の作動タブ（４０）は、グリップ端部分（４２）をさらに有し、
このグリップ端部分の、缶（Ｌ）の端壁（１０）から離れる手動の角度変位が、最初に断裂ライン（１２ａ）の前記スポット領域（１２ｂ）を破断し、次いで、前記端壁（１０）の注ぎ口パネル（１２）を分離することを特徴とする、構造的配置。
【請求項２】
切欠き（４４）が、ヒンジ領域（４３ａ）に開いた丸い「Ｃ」の形態を示すことを特徴とする、請求項１に記載の配置。
【請求項３】
第１の作動タブ（３０）の引抜き端部分（３１）が、単一のピースで、ヒンジ領域（３３ａ）を通して、タブ部分（３３）を組み込んでおり、このタブ部分（３３）が、切欠き（３４）により、それぞれの作動タブ（３０）から切られており、前記タブ部分（３３）が、ベントパネル（１１）の外側に取り付けられている第１の作動タブ（３０）の部分を規定することを可能にしていることを特徴とする、請求項１または請求項２に記載の配置。
【請求項４】
切欠き（３４）が、ヒンジ領域（３３ａ）に開いた、丸い「Ｃ」の形態を呈すことを特徴とする、請求項３に記載の配置。
【請求項５】
第１の作動タブ（３０）の引抜き端部分（３１）が、対面する断裂ライン（１１ａ）のスポット領域（１１ｂ）に対して押圧される端部下方歯（３６）を組み込んでおり、第１の作動タブ（３０）のグリップ部分（３２）の、ヒンジ領域（３３ａ）周りの上昇する角度的な変位がされると、ベントパネル（１１）の最初の断裂、次いで、断裂ライン（１１ａ）の完全な断裂、ならびに、缶（Ｌ）に対する、ベントパネル（１１）および第１の作動タブ（３０）の完全な分離を引き起こすことを特徴とする、請求項３または請求項４に記載の配置。
【請求項６】
第１の作動タブ（３０）の引抜き部分（３１）と、第２の作動タブ（４０）のパンチ部分（４１）とが、それぞれ、ベントパネル（１１）と、注ぎ口パネル（１２）とに、リベット（３５ａ、４５ａ）の形態の保持手段（３５、４５）を通して取り付けられていることを特徴とする、請求項１から請求項５のいずれか一項に記載の配置。
【請求項７】
第２の作動タブ（４０）のグリップ端部分（４２）が、環状形状を呈し、ベントパネル（１１）の断裂ライン（１１ａ）の軸方向の突起が、第２の作動タブ（４０）のグリップ部分（４２）の環状形状の内部に包含されていることを特徴とする、請求項１から請求項６のいずれか一項に記載の配置。
【請求項８】
第１の作動タブ（３０）の引抜き端部分（３１）が、第２の作動タブ（４０）の、環状のグリップ端部分（４２）を通って位置しており、第１の作動タブ（３０）のグリップ端部分（３２）が、第２の作動タブ（４０）のパンチ端部分（４１）上に位置し、第１の作動タブ（３０）の引抜き端部分（３１）が、第２の作動タブ（４０）のグリップ端部分（４２）の下に位置していることを特徴とする、請求項７に記載の配置。
【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
厚さを有するガラスまたはガラスセラミック板を備え、
当該板が、直径を有する複数の微細穿孔を有し、当該微細穿孔の当該直径に対する当該板の当該厚さの比率が、２５未満、または約０．１と２０との間である、物品。
【請求項２】
前記厚さが、約０．０５ｍｍと６ｍｍとの間、または約０．１ｍｍと３ｍｍとの間である、請求項１記載の物品。
【請求項３】
前記微細穿孔の直径に対する前記板の厚さの比率が、約２と８との間、または約３と６との間である、請求項２記載の物品。
【請求項４】
前記板が、
約０．３と１との間の、または約０．３と０．８との間の騒音減少率（ＮＲＣ）、および
２５０Ｈｚと６０００Ｈｚとの間、または２５０Ｈｚと２０，０００Ｈｚとの間の所定の周波数帯域に対する所定の吸音率、
のうちいずれか１つ以上を有する、請求項１から３のいずれか１項に記載の物品。
【請求項５】
前記微細穿孔が、
前記板に沿って、均一のまたは不均一の隔たりで位置決めされ、均一のまたは不均一のサイズを有する、
前記板に沿って、均一のまたは不均一の密度で分布される、
のうちのいずれか１つまたは両方である、請求項１から４のいずれか１項に記載の物品。
【請求項６】
請求項１から５のいずれか１項に記載の第１のガラスまたはガラスセラミック板および第２のガラスセラミック板を備え、当該第２のガラスセラミック板が厚さを有し、直径を有する複数の微細穿孔を有し、当該微細穿孔の直径に対する当該板の厚さの比率が、２５未満、または約０．１と２０との間である、物品。
【請求項７】
前記第１の板および前記第２の板が、離隔距離を画成する板内間隙によって互いから間隔を開けられている、請求項６記載の物品。
【請求項８】
前記第１のガラスまたはガラスセラミック板の前記微細穿孔の少なくとも８０％に関して、各当該微細穿孔が、第１の微細穿孔の中心と第２の微細穿孔の中心との間の距離が、当該第１のガラスまたはガラスセラミック板および前記第２のガラスセラミック板における対応する微細穿孔のうち大きい方の直径の２０％以下であるように、当該第２のガラスセラミック板の対応する微細穿孔に対して位置決めされる、請求項６または７記載の物品。
【請求項９】
前記第１のガラスまたはガラスセラミック板の前記微細穿孔の少なくとも８０％に関して、各当該微細穿孔が、前記第１の微細穿孔の中心と前記第２の微細穿孔の中心との間の距離が、当該第１のガラスまたはガラスセラミック板および前記第２のガラスセラミック板における対応する微細穿孔のうち大きい方の直径の２０％以上であるように、当該第２のガラスセラミック板の対応する微細穿孔に対して位置決めされる、請求項６から８のいずれか１項に記載の物品。
【請求項１０】
前記物品のＮＲＣが０．５以上である、
前記第１のガラスまたはガラスセラミック板および前記第２のガラスまたはガラスセラミック板の各々における微細穿孔の多孔率が、０％から１０％までの範囲である、
前記複数の微細穿孔の各々の直径が、２０μｍから５００μｍまでの範囲である、
のうちいずれか１つを含む、請求項６から９のいずれか１項に記載の物品。
【請求項１１】
請求項１から１０のいずれか１項に記載の微細穿孔をガラスまたはガラスセラミック板において形成する方法であって、
（ｉ）レーザービームによって、前記ガラスまたはガラスセラミック板に複数の損傷進路を形成することであって、当該板は、平面に延在し、かつ厚さを有し、当該損傷進路は第１の直径を有する、形成すること、および
（ｉｉ）第２の直径を有する微細穿孔を有する微細穿孔板を形成するために（ｉ）から得られた板を酸性溶液中でエッチングすることであって、当該微細穿孔板のＮＲＣは約０．３と１との間である、エッチングすることを含む、方法。